(57)【要約】【課題】  メディアと光学系の位置ずれに対して、相対位置関係を検出し、別の情報データスタックヘ移動する際のサーボ信号として利用可能な、情報データスタック位置検出を可能とするホログラフィー媒体を提供する。【解決手段】  本発明のホログラフィー媒体は、複数の情報データページ各々が参照光の角度を変えて記録されている情報データスタックの位置を示す位置検出情報が、情報データの書込み時に、所定の情報データページに記録されている。【選択図】    図１
2006208921.tif 000002
【特許請求の範囲】
【請求項１】
ホログラフィー媒体に照射する参照光の角度を変え、異なる角度において情報データを多重記録するホログラフィー記録装置であり、
前記ホログラフィー媒体に書き込む情報データにより変調された信号光を出力する光変調手段と、
前記信号光と干渉させる参照光の角度を、書き込む情報データページ毎に順次変え、前記ホログラフィー媒体に入射させる参照光照射手段と、
前記ホログラフィー媒体に対して、前記信号光及び参照光の入射位置を相対的に平面移動させ、前記情報データの書込位置を制御する位置制御手段と、
前記情報データが書き込まれた情報データの位置を示す位置検出情報を、前記ホログラフィー媒体に書き込む位置検出情報書込手段と
を有することを特徴とするホログラフィー記録装置。
【請求項２】
前記位置検出情報書込手段が、前記ホログラフィー媒体の平面的な書込位置において、書き込まれた複数の前記情報データページを情報データスタックとして、この情報データスタック毎に、所定の情報データページに前記位置検出情報を記録することを特徴とする請求項１に記載のホログラフィー記録装置。
【請求項３】
前記位置検出情報書込手段が、前記情報データスタックの所定の情報データページに前記位置検出情報を書き込む際、この位置検出情報の書込位置を他の情報データスタックの位置検出情報の書込位置と所定のピッチを有して書き込むことを特徴とする請求項２に記載のホログラフィー記録装置。
【請求項４】
前記位置検出情報書込手段が、前記位置検出情報を、情報データページの複数の位置に書き込むことを特徴とする請求項１から請求項３のいずれかに記載のホログラフィー記録装置。
【請求項５】
前記位置検出情報書込手段が、前記位置検出情報を、情報データページの複数の位置に、所定の角度を偏差させて書き込むことを特徴とする請求項２から請求項４のいずれかに記載のホログラフィー記録装置。
【請求項６】
ホログラフィー媒体に照射する参照光の角度を変え、情報データページ毎に異なる角度において多重記録された情報データを読み出すホログラフィー再生装置であり、
前記ホログラフィー媒体に、順次参照光の角度を変えて照射する参照光照射手段と、
前記ホログラフィー媒体から前記参照光により出射される、情報データの書込位置を示す位置検出情報を検出し、ホログラフィー媒体において、参照光を照射する読出位置を制御する記録位置検出手段と、
参照光により、前記情報データページから出射される再生光を入射し、再生光から情報データを検出するデータ検出手段と
を有することを特徴とするホログラフィー再生装置。
【請求項７】
前記記録位置検出手段が、前記ホログラフィー媒体の平面的な書込位置である、複数の情報データページが構成されている情報データスタックの位置を、前記位置検出情報を再生することにより識別し、読出し位置の制御を行うことを特徴とする請求項６に記載のホログラフィー再生装置。
【請求項８】
前記記録位置検出手段が、前記位置検出情報がデータ検出手段のディテクタ面に投影された位置を検出して、読出し対象の情報データスタックの位置からの偏差を検出し、この偏差により、再生中の情報データスタックの位置を検出することを特徴とする請求項７に記載のホログラフィー再生装置。
【請求項９】
複数の情報データページ各々が参照光の角度を変えて記録されている情報データスタックの位置を示す位置検出情報が、情報データの書込み時に、所定の情報データページに記録されていることを特徴とするホログラフィー媒体。
【請求項１０】
前記位置検出情報が他の情報データスタックの位置検出情報の書込位置と所定のピッチを有して書き込まれていることを特徴とする請求項９に記載のホログラフィー媒体。
【請求項１１】
前記位置検出情報が情報データページの複数の位置に記録されていることを特徴とする請求項９または請求項１０に記載のホログラフィー媒体。
【請求項１２】
前記位置検出情報が、情報データページの複数の位置に、所定の角度を偏差させて書き込まれていることを特徴とする請求項９から請求項１１のいずれかに記載のホログラフィー媒体。
【請求項１３】
ホログラフィー媒体に照射する参照光の波長を変え、異なる波長において情報データを多重記録するホログラフィー記録装置であり、
前記ホログラフィー媒体に書き込む情報データにより変調された信号光を出力する光変調手段と、
前記信号光と干渉させる参照光の波長を、書き込む情報データページ毎に順次変え、前記ホログラフィー媒体に入射させる参照光照射手段と、
前記ホログラフィー媒体に対して前記信号光及び参照光の入射位置を相対的に平面移動させ、前記情報データの書込位置を制御する位置制御手段と、
前記情報データが書き込まれた情報データの位置を示す位置検出情報を、前記ホログラフィー媒体に書き込む位置検出情報書込手段と
を有することを特徴とするホログラフィー記録装置。
【請求項１４】
ホログラフィー媒体に照射する参照光の波長を変え、情報データページ毎に異なる波長で多重記録された情報データを読み出すホログラフィー再生装置であり、
前記ホログラフィー媒体に、順次参照光の波長を変えて照射する参照光照射手段と、
前記ホログラフィー媒体から前記参照光により出射される、情報データの書込位置を示す位置検出情報を検出し、ホログラフィー媒体において、参照光を照射する読出位置を制御する記録位置検出手段と、
参照光により、前記情報データページから出射される再生光を入射し、再生光から情報データを検出するデータ検出手段と
を有することを特徴とするホログラフィー再生装置。
【請求項１５】
複数の情報データページ各々が参照光の波長を変えて記録されている情報データスタックの位置を示す位置検出情報が、情報データの書込み時に、所定の情報データページに記録されていることを特徴とするホログラフィー媒体。
【請求項１６】
ホログラフィー媒体に照射する参照光の角度を変え、異なる角度において情報データを多重記録するホログラフィー記録方法であり、
光変調手段により前記ホログラフィー媒体に書き込む情報データにより変調された信号光を出力する過程と、
参照光照射手段により前記信号光と干渉させる参照光の角度を、書き込む情報データページ毎に順次変え、前記ホログラフィー媒体に入射させる過程と、
位置制御手段により前記ホログラフィー媒体に対して前記信号光及び参照光の入射位置を相対的に平面移動させ、前記情報データの書込位置を制御する過程と、
位置検出情報書込手段により前記情報データが書き込まれた情報データの位置を示す位置検出情報を、前記ホログラフィー媒体に書き込む過程と
を有することを特徴とするホログラフィー記録方法。
【請求項１７】
ホログラフィー媒体に照射する参照光の角度を変え、情報データページ毎に異なる角度で多重記録された情報データを読み出すホログラフィー再生方法であり、
参照光照射手段により前記ホログラフィー媒体に、順次参照光の角度を変えて照射する過程と、
記録位置検出手段により前記ホログラフィー媒体から前記参照光により出射される、情報データの書込位置を示す位置検出情報を検出し、ホログラフィー媒体において、参照光を照射する読出位置を制御する過程と、
データ検出手段により、参照光を照射することで前記情報データページから出射される再生光を入射し、再生光から情報データを検出する過程と
を有することを特徴とするホログラフィー再生方法。
【請求項１８】
ホログラフィー媒体に照射する参照光の波長を変え、異なる波長において情報データを多重記録するホログラフィー記録方法であり、
光変調手段により前記ホログラフィー媒体に書き込む情報データにより変調された信号光を出力する過程と、
参照光照射手段により前記信号光と干渉させる参照光の波長を、書き込む情報データページ毎に順次変え、前記ホログラフィー媒体に入射させる過程と、
位置制御手段により前記ホログラフィー媒体に対して前記参照光の入射位置を相対的に平面移動させ、前記情報データの書込位置を制御する過程と、
位置検出情報書込手段により前記情報データが書き込まれた情報データの位置を示す位置検出情報を、前記ホログラフィー媒体に書き込む過程と
を有することを特徴とするホログラフィー記録方法。
【請求項１９】
ホログラフィー媒体に照射する参照光の波長を変え、情報データページ毎に異なる波長で多重記録された情報データを読み出すホログラフィー再生方法であり、
参照光照射手段により前記ホログラフィー媒体に、順次参照光の波長を変えて照射する過程と、
記録位置検出手段により前記ホログラフィー媒体から前記参照光により出射される、情報データの書込位置を示す位置検出情報を検出し、ホログラフィー媒体において、参照光を照射する読出位置を制御する過程と、
データ検出手段により、参照光を照射することで前記情報データページから出射される再生光を入射し、再生光から情報データを検出する過程と
を有することを特徴とするホログラフィー再生方法。
【発明の詳細な説明】
【技術分野】
【０００１】
本発明は、情報データの記録に用いるホログラフィー記録装置，再生装置及びその方法並びにホログラフィー媒体に関する。
【背景技術】
【０００２】
情報データよりなる信号光と、参照光とをホログラフィー媒体に照射して、このホログラフィー媒体内に干渉パターンを生成して、上記情報データを記録するホログラフィー記録システムが用いられている。
そして、このホログラフィー媒体に対し、「１」または「０」からなるディジタルデータを多重記録、また再生する方法として、以下に示す特許文献１に記載された方法及びこの方法に対応した装置がある。
この文献には、ホログラフィー媒体の複数箇所それぞれにおいて情報データを多重に記録する方法として、参照光の角度を変えて記録・再生を行う書込角度多重の方法と、参照光の波長を変えて記録・再生を行う方法が記載されている。
【０００３】
そして、特許文献１に示す多重に記録する方法にあっては、書込角度多重の場合、ホログラフィー媒体に記録された情報データを、その記録した際の参照光と同様な角度に読出し用の参照光を照射することができれば、多重化された中から所望の角度で書き込んだ情報データ（情報データページの情報データ）を任意に読み出すことができる。
参照光の角度に対応した情報データページが多重化された記憶領域、すなわちメディアにおける同様の位置での情報データページの一塊を、以下情報データスタックと呼ぶ。
【０００４】
この情報データスタックをメディア内に多数記録する方法として、矩形開口（Polytopicフィルタ）を用いて所定の面積の情報データスタックを、メディア面に配設していく手法が用いられている（非特許文献１参照）。
すなわち、ホログラフィー記録は、ＳＬＭ（空間光変調器）において、情報データページに書き込む情報データを変調面に形成して、レーザ光を変調して信号光として出力する。
このとき、ＳＬＭにより回折したレーザ光は、矩形開口近傍において、ＳＬＭの画素ピッチや、レンズの焦点距離に対応した回折による広がりを有する。
【０００５】
そこで、情報データを書き込むスタック位置に対応させて、ＳＬＭにおける０次回折光に相当する部分のみを通過させる空間フィルタ、すなわち矩形開口（Polytopicフィルタ）を、図８（ａ）に示す様にＦＴレンズとメディアとの間に設ける。
上記矩形開口の大きさに対し、若干大きい間隔において複数の情報データページ、すなわち情報データが多重記録されて構成される情報データスタックを生成する。
この情報データページのメディア面における広がりは、メディア付近およびディテクタの近傍において広がっている。
【０００６】
したがって、メディア内においては、情報データページがＸＹ方向にオーバーラップしたように記録される。
矩形開口を置かない場合、ディテクタ上のデータページの投影像は、図８（ｂ）に示す様に、ＸＹ方向にオーバーラップするような配置である。
再生時において矩形開口が特定の情報データスタックに位置合わせされた場合は、参照光で再生された複数の情報データスタックのうち、図８（ｃ）に示すように、矩形開口を通る特定の情報データスタックに含まれる情報データページのみがディテクタに投影され、情報データページの情報データを正常に再生することができる。
【０００７】
上述したように、メディアと矩形開口とを含む光学系の相対位置を、ＸＹ方向に移動させ、かつＸＹ方向にオーバーラップさせてメディアに多重記録し、矩形開口により選択的に再生する方法を取ることで、メディアにおける情報データの記録密度を向上させることができる。
【特許文献１】特開２００４−１７７９５８号公報
【非特許文献１】”Polytopic multiplexing”，Ken Anderson and Kevin Curtis / InPhase Technologies  OPTICS LETTERS / Vol.29, No. 12 / June 15, 2004
【発明の開示】
【発明が解決しようとする課題】
【０００８】
上述した記録・再生方法においては、メディアと光学系との位置関係が、例えばＸＹ方向に移動するステージのような送り機構で実現される。
このとき、情報データスタックが記録された位置と再生時の光学系との位置は、数十μｍ程度の精度で合わせる必要がある。
しかしながら、メディアの外形寸法精度、送り機構の精度、周囲温度変化に伴う膨張収縮の影響等を加味すると、上述の精度で位置合わせすることは容易ではない。
【０００９】
特に、メディアを交換することを考慮すると、メディアを再度ホログラフィー再生装置にローディングさせた場合、交換毎にメディアのローディング位置のずれが発生することを考慮する必要がある。
そこで、ホログラムデータが記録されるデータページの一部、具体的にはデータページの周辺部に、情報データスタックを示すスタック番号やページ番号等の情報（インデックス情報）を入れる方法も考えられる。
【００１０】
しかし、矩形開口が所定の位置からずれている状態においては、ディテクタ上で複数の像が重なって互いに干渉するため、各情報データスタックに対応するインデックス情報を、的確に読み出せない。
このため、ある情報データスタックから他の情報データスタックヘ、矩形開口を移動する際、同様に再生した情報データの像が重なるため、ＸＹ送り機構のサーボ用信号として用いることができない。
【００１１】
すなわち、ある情報データスタックの選択状態にある際、図９（ｂ）に示す様に、矩形開口面上において所定の情報データスタックからの再生光が選択されていると、図９（ａ）に示すように、ディテクタ面上において、情報データの再生された像１１ｄが単独で投影される。
しかしながら、矩形開口を移動する（矩形開口の移動過渡状態）際、図９（ｄ）に示す様に、矩形開口に複数の情報データスタックの再生光がかかることとなり、図９（ｃ）に示す様に、ディテクタ面上において、複数の情報データの再生された像、例えば像１１ｄ，１２ｄ，２１ｄ，２２ｄが重なって投影され、各像が干渉し合うことになる。
【００１２】
本発明は、このような事情に鑑みてなされたもので、メディアと光学系の位置ずれがあっても相対位置関係を検出し、あるいは所定の情報データスタックから別の情報データスタックヘ移動する際のサーボ信号として利用可能な、情報データスタック位置（ＸＹ位置）検出の手段を提供し、情報データスタック間に跨ったデータアクセスを容易にしたホログラフィー記録装置、再生装置および方法を提供することを目的とする。
【課題を解決するための手段】
【００１３】
本発明のホログラフィー記録装置は、ホログラフィー媒体に照射する参照光の角度を変え、異なる角度において情報データを多重記録するホログラフィー記録装置であり、前記ホログラフィー媒体に書き込む情報データにより変調された信号光を出力する光変調手段と、前記信号光と干渉させる参照光の角度を、書き込む情報データページ毎に順次変え、前記ホログラフィー媒体に入射させる参照光照射手段と、前記ホログラフィー媒体に対して、前記信号光及び参照光の入射位置を相対的に平面移動させ、前記情報データの書込位置を制御する位置制御手段と、前記情報データが書き込まれた情報データの位置を示す位置検出情報を、前記ホログラフィー媒体に書き込む位置検出情報書込手段とを有する。
また、本発明のホログラフィー記録方法は、ホログラフィー媒体に照射する参照光の角度を変え、異なる角度において情報データを多重記録するホログラフィー記録方法であり、光変調手段により前記ホログラフィー媒体に書き込む情報データにより変調された信号光を出力する過程と、参照光照射手段により前記信号光と干渉させる参照光の角度を、書き込む情報データページ毎に順次変え、前記ホログラフィー媒体に入射させる過程と、位置制御手段により前記ホログラフィー媒体に対して前記信号光及び参照光の入射位置を相対的に平面移動させ、前記情報データの書込位置を制御する過程と、位置検出情報書込手段により前記情報データが書き込まれた情報データの位置を示す位置検出情報を、前記ホログラフィー媒体に書き込む過程とを有する。
これにより、本発明のホログラフィー記録装置／方法は、メディアがローディングされるホログラフィー再生装置毎に、メディアにおける参照光の入射位置を相対的にＸＹ制御する送り機構に、座標位置及び精度ずれ等があっても、情報データスタックの記録位置を検出可能とする位置検出情報を、メディアの各情報データスタックに対して記録することにより、情報データスタックの位置検出が可能なメディアを作成することができる。
【００１４】
本発明のホログラフィー記録装置は、前記位置検出情報書込手段が、前記ホログラフィー媒体の平面的な書込位置において、書き込まれた複数の前記情報データページを情報データスタックとして、この情報データスタック毎に、所定の情報データページに前記位置検出情報を記録する。
これにより、本発明のホログラフィー記録装置は、情報データスタックを読出しながらＸＹ方向へのシークが行え、ランダムな情報データスタックのアクセス制御が可能なメディアを作成することができる。
【００１５】
本発明のホログラフィー記録装置は、前記位置検出情報書込手段が、前記情報データスタックの所定の情報データページに前記位置検出情報を書き込む際、この位置検出情報の書込位置を他の情報データスタックの位置検出情報の書込位置と所定のピッチを有して書き込みを行う。
これにより、本発明のホログラフィー記録装置は、メディアから情報データを再生する際、矩形開口が複数の情報データスタックに対して跨る位置にある場合でも、各々の位置検出情報が重なってディテクタに投影されることがなく、各々の位置検出情報が干渉することなく、各情報データスタックの位置検出情報を独立して読み出せるメディアを作成することができる。
【００１６】
本発明のホログラフィー記録装置は、前記位置検出情報書込手段が、前記位置検出情報を、情報データページの複数の位置への書き込みを行う。
これにより、本発明のホログラフィー記録装置は、位置記録情報を書き込む情報データページにおいて、複数の位置に同一の位置検出情報をコピーして記録されるので、一部が読出し不能の状態となっても、いずれかの位置から位置検出情報を読み出すことが可能なメディアを作成することができる。
【００１７】
本発明のホログラフィー記録装置は、前記位置検出情報書込手段が、前記位置検出情報を、情報データページの複数の位置に、所定の角度を偏差させて書き込みを行う。
これにより、本発明のホログラフィー記録装置は、メディアから情報データを読み出すため、参照光の入射位置に対してメディアの記録面を相対的に移動させ、情報データスタックを切り替える際、ＸＹ移動における送り精度が悪くても、各情報データスタックの位置検出情報の検出を確実に行うことができるメディアを作成することができる。
【００１８】
本発明のホログラフィー再生装置は、ホログラフィー媒体に照射する参照光の角度を変え、情報データページ毎に異なる角度において多重記録された情報データを読み出すホログラフィー再生装置であり、前記ホログラフィー媒体に、順次参照光の角度を変えて照射する参照光照射手段と、前記ホログラフィー媒体から前記参照光により出射される、情報データの書込位置を示す位置検出情報を検出し、ホログラフィー媒体において、参照光を照射する読出位置を制御する記録位置検出手段と、参照光により、前記情報データページから出射される再生光を入射し、再生光から情報データを検出するデータ検出手段とを有する。
本発明のホログラフィー再生方法は、ホログラフィー媒体に照射する参照光の角度を変え、情報データページ毎に異なる角度で多重記録された情報データを読み出すホログラフィー再生方法であり、参照光照射手段により前記ホログラフィー媒体に、順次参照光の角度を変えて照射する過程と、記録位置検出手段により前記ホログラフィー媒体から前記参照光により出射される、情報データの書込位置を示す位置検出情報を検出し、ホログラフィー媒体において、参照光を照射する読出位置を制御する過程と、データ検出手段により、参照光を照射することで前記情報データページから出射される再生光を入射し、再生光から情報データを検出する過程とを有する。
これにより、本発明のホログラフィー再生装置／方法は、メディアがローディングされるホログラフィー再生装置毎に、メディアにおける参照光の入射位置を相対的にＸＹ制御する送り機構に、座標位置及び精度ずれ等があっても、情報データスタックの記録位置を検出可能とする位置検出情報を、メディアの各情報データスタックから読出し、対応する情報データスタックの位置を高い精度にて検出することができるので、情報データスタックのアクセスを高速に行うことができる。
【００１９】
本発明のホログラフィー再生装置は、前記記録位置検出手段が、前記ホログラフィー媒体の平面的な書込位置である、複数の情報データページが構成されている情報データスタックの位置を、前記位置検出情報を再生することにより識別し、読出し位置の制御を行う。
これにより、本発明のホログラフィー再生装置は、情報データスタックを読出しながらＸＹ方向へのシークが行え、ランダムな情報データスタックのアクセス制御が行え、情報データスタックのアクセスを高速化することができる。
【００２０】
本発明のホログラフィー再生装置は、前記記録位置検出手段が、前記位置検出情報がデータ検出手段のディテクタ面に投影された位置を検出して、読出し対象の情報データスタックの位置からの偏差を検出し、この偏差により、再生中の情報データスタックの位置を検出する。
これにより、本発明のホログラフィー再生装置は、所定の情報データスタックへのアクセスを行う際、連続したサーボ信号を検出することにより、再生に必要な送り機構の要求精度を緩和させ、再生装置のコストを低下させることができる。
【００２１】
本発明のホログラフィー媒体は、複数の情報データページ各々が参照光の角度を変えて記録されている情報データスタックの位置を示す位置検出情報が、情報データの書込み時に、所定の情報データページに記録されている。
これにより、本発明のホログラフィー媒体は、情報データの再生処理の際、ローディングされるホログラフィー再生装置毎に、メディアにおける参照光の入射位置を相対的にＸＹ制御する送り機構に、座標位置及び精度ずれ等があっても、情報データスタックの記録位置を検出可能とする位置検出情報を、メディアの各情報データスタックに対して記録されているため、情報データスタックの位置検出を容易に行うことができる。
【００２２】
本発明のホログラフィー媒体は、前記位置検出情報が他の情報データスタックの位置検出情報の書込位置と所定のピッチを有して書き込まれている。
これにより、本発明のホログラフィー媒体は、情報データを再生する際、矩形開口が複数の情報データスタックに対して跨る位置にある場合でも、各々の位置検出情報が重なってディテクタに投影されず、各々の位置検出情報が干渉することなく、各情報データスタックの位置検出情報が独立して読み出すことができる。
【００２３】
本発明のホログラフィー媒体は、前記位置検出情報が情報データページの複数の位置に記録されている。
これにより、本発明のホログラフィー媒体は、位置記録情報を書き込む情報データページにおいて、複数の位置に同一の位置検出情報をコピーして記録されているので、一部が読出し不能の状態となっても、いずれかの位置から位置検出情報を読み出すことができる。
【００２４】
本発明のホログラフィー媒体は、前記位置検出情報が、情報データページの複数の位置に、所定の角度を偏差させて書き込まれている。
これにより、本発明のホログラフィー媒体は、情報データの再生処理の際、参照光の入射位置に対してメディアの記録面を相対的に移動させ、情報データスタックを切り替える際、ＸＹ移動における送り精度が悪くても、各情報データスタックの位置検出情報の検出を確実に行うことができるメディアを作成することができる。
【００２５】
本発明のホログラフィー記録装置は、ホログラフィー媒体に照射する参照光の波長を変え、異なる波長において情報データを多重記録するホログラフィー記録装置であり、前記ホログラフィー媒体に書き込む情報データにより変調された信号光を出力する光変調手段と、前記信号光と干渉させる参照光の波長を、書き込む情報データページ毎に順次変え、前記ホログラフィー媒体に入射させる参照光照射手段と、前記ホログラフィー媒体に対して前記信号光及び参照光の入射位置を相対的に平面移動させ、前記情報データの書込位置を制御する位置制御手段と、前記情報データが書き込まれた情報データの位置を示す位置検出情報を、前記ホログラフィー媒体に書き込む位置検出情報書込手段とを有する。
本発明のホログラフィー記録方法は、ホログラフィー媒体に照射する参照光の波長を変え、異なる波長において情報データを多重記録するホログラフィー記録方法であり、光変調手段により前記ホログラフィー媒体に書き込む情報データにより変調された信号光を出力する過程と、参照光照射手段により前記信号光と干渉させる参照光の波長を、書き込む情報データページ毎に順次変え、前記ホログラフィー媒体に入射させる過程と、位置制御手段により前記ホログラフィー媒体に対して前記参照光の入射位置を相対的に平面移動させ、前記情報データの書込位置を制御する過程と、位置検出情報書込手段により前記情報データが書き込まれた情報データの位置を示す位置検出情報を、前記ホログラフィー媒体に書き込む過程とを有する。
これにより、本発明のホログラフィー記録装置／方法は、メディアがローディングされるホログラフィー再生装置毎に、メディアにおける参照光の入射位置を相対的にＸＹ制御する送り機構に、座標位置及び精度ずれ等があっても、情報データスタックの記録位置を検出可能とする位置検出情報を、メディアの各情報データスタックに対して記録することにより、情報データスタックの位置検出が可能なメディアを作成することができる。
【００２６】
本発明のホログラフィー再生装置は、ホログラフィー媒体に照射する参照光の波長を変え、情報データページ毎に異なる波長で多重記録された情報データを読み出すホログラフィー再生装置であり、前記ホログラフィー媒体に、順次参照光の波長を変えて照射する参照光照射手段と、前記ホログラフィー媒体から前記参照光により出射される、情報データの書込位置を示す位置検出情報を検出し、ホログラフィー媒体において、参照光を照射する読出位置を制御する記録位置検出手段と、参照光により、前記情報データページから出射される再生光を入射し、再生光から情報データを検出するデータ検出手段とを有する。
本発明のホログラフィー再生方法は、ホログラフィー媒体に照射する参照光の波長を変え、情報データページ毎に異なる波長で多重記録された情報データを読み出すホログラフィー再生方法であり、参照光照射手段により前記ホログラフィー媒体に、順次参照光の波長を変えて照射する過程と、記録位置検出手段により前記ホログラフィー媒体から前記参照光により出射される、情報データの書込位置を示す位置検出情報を検出し、ホログラフィー媒体において、参照光を照射する読出位置を制御する過程と、データ検出手段により、参照光を照射することで前記情報データページから出射される再生光を入射し、再生光から情報データを検出する過程とを有する。
これにより、本発明のホログラフィー再生装置／方法は、メディアがローディングされるホログラフィー再生装置毎に、メディアにおける参照光の入射位置を相対的にＸＹ制御する送り機構に、座標位置及び精度ずれ等があっても、情報データスタックの記録位置を検出可能とする位置検出情報を、メディアの各情報データスタックから読出し、対応する情報データスタックの位置を高い精度にて検出することができるので、情報データスタックのアクセスを高速に行うことができる。
【００２７】
本発明のホログラフィー媒体は、複数の情報データページ各々が参照光の波長を変えて記録されている情報データスタックの位置を示す位置検出情報が、情報データの書込み時に、所定の情報データページに記録されている。
これにより、本発明のホログラフィー媒体は、情報データの再生処理の際、ローディングされるホログラフィー再生装置毎に、メディアにおける参照光の入射位置を相対的にＸＹ制御する送り機構に、座標位置及び精度ずれ等があっても、情報データスタックの記録位置を検出可能とする位置検出情報が、メディアの各情報データスタックに対して記録されているため、情報データスタックの位置検出を容易に行うことができる。
【発明の効果】
【００２８】
上述したように、本発明によれば、メディアからの情報データの再生処理の際、参照光の入射位置に対してメディアの記録面を相対的に移動させ、情報データスタックを切り替える際、ＸＹ移動における送り精度が悪くても、各情報データスタックの位置検出情報を検出することにより、各情報データスタックの位置検出が行えるため、情報データの再生処理を高速に行うことが可能となるメディアを作成することができる。
【発明を実施するための最良の形態】
【００２９】
以下、本発明の一実施形態によるホログラフィー記録装置及び再生装置を図面を参照して説明する。
図１は、情報データを多重記録する際、参照光の角度を変えて、情報データを記録する複数のページ（以下、情報データページ）を生成し、情報データの多重記録を行う場合の同実施形態におけるホログラフィー記録及び再生方法の概念を示す概念図である。
【００３０】
本発明においては、図１に示すように、ホログラフィー媒体（以下、メディア）における上記多重記録した情報データページ（Page-1，Page-2，…，Page-N）の固まりとして情報データスタックが構成され、各情報データスタック（Stack-1，Stack-2，Stack-3，…）には、各情報データスタックを示す位置検出情報が位置検出情報ページに記憶されている。
この位置検出情報は、後に述べる位置検出情報書込部１０（図５参照）により書き込まれる。
そして、この位置検出情報は、一般の情報データが記録された情報データページと異なる角度領域に、すなわち情報データスタック内の情報データページの一つを、ＸＹアクセス専用の位置検出情報ページとする。
【００３１】
ここで、上記位置検出情報ページにおいては、例えばメディアのページ領域の中央に、所定の位置検出情報のみを記録しておき、他の領域は光を透過させないように黒くしておく。
こうすることで、図２（ｂ）のある情報データスタックの選択状態において、図２（ａ）に示すように、対象情報データスタックにおける位置検出情報は、位置検出情報ページの領域の中央部分の位置のみがディテクタ６の検出面に投影されることとなる。
【００３２】
そのため、この位置検出情報の幅と高さ（横幅×縦幅）とは、ＸＹ方向の情報データスタックの間隔Ｐより小さくしておく。
こうすることにより、図２の（ｃ）及び（ｄ）に示すように、ＸＹ移動の過渡状態においても隣接する情報データスタックからの投影像がディテクク上で重なることはなく、それぞれの情報データスタックの位置検出情報を独立して読み出すことが可能となる。
【００３３】
また、位置検出情報は、位置検出情報ページに書き込まれる際、他の情報データスタックの書込位置と所定のピッチを有して書き込まれる。
さらに、位置検出情報は、ある情報データスタックの位置検出情報が矩形開口に含まれた際、他情報データスタックの位置検出情報が矩形開口に含まれないピッチまたは幅と高さとに、位置検出情報ページ内に形成してもよい。
また、過渡的な状態においては、アクセス目標である情報データスタックの位置検出情報の位置が所定の位置、例えば図２（ｃ）に示す様に、ディテクタの中央からシフトした位置に現れる。
【００３４】
したがって、ディテクタに投影された位置検出情報の位置に基づき、ディテクタの中央からのＸＹ方向の位置ずれを算出することができ、算出された位置ずれ量はＸＹ移動の際のサーボ信号として利用することができる（後述する記録位置検出部１１）。
ここで用いられる各位置検出情報は、例えば２次元に市松模様のドットパターンとして、情報データスタックに関する情報（例えば、情報データスタックのメディア内における位置を示す座標情報，記録されている情報データページの情報など）を付加して記録しておくことにより、位置検出情報を読み込んだ時点でメディア内での座標位置や、記録されている情報データページの内容を知ることができる。
【００３５】
また、所定の情報データスタックから他の情報データスタックヘアクセスする場合、参照光の角度を変化させて位置検出情報ページにアクセスし、その状態で位置検出情報を再生しながらＸＹ方向に移動し、目的の情報データスタックヘ到着したら再び参照光の角度を変化させて所望のデータページのデータを読み出すような動作手順が考えられる。
【００３６】
なお、位置検出情報は、一般的には４つの像が同時に投影され、高々隣接する情報しか同時に再生されない。
したがって、位置検出情報は必ずしも中央に一つのみである必要はなく、その位置は中央から所定の距離オフセットさせてもよく、また複数の位置検出情報を位置検出情報ページ内に配置するようにしてもよい。
図３は、１つの位置検出情報ぺージに複数の位置検出情報を配置した際、ディテクタ６の検出面に投影される複数の位置検出情報の再生像を示すものである。
【００３７】
このように複数の位置検出情報を読み出すことにより、何らかの理由１ヶ所の読み出しに失敗しても、問題なく情報データスタックのアクセスを継続できる。
また、ＸＹ移動においては、送り機構の精度の問題により、メディアに対する参照光の角度が変化することが考えられる。
そこで、図４（ａ）に示すように、位置検出情報を複数の領域Ａ，Ｂとして細分化し、各々の領域において、書き込む際の参照光の入射角度を、領域Ａ及び領域Ｂにおいてずらして（偏差を持たせて）記録するようにしてもよい。
【００３８】
この場合、ＸＹ移動中に参照光の角度が変化しても（多少ずれても）、いずれかの位置検出情報が読み出せるため、ＸＹ移動が継続可能となり、情報データスタックの位置検出に対してシステムのロバストネスが向上する。
また、ＸＹ移動を行うメディアの送り機構に対する精度要求を緩和することができ、装置のコストダウンが可能になる効果もある。
【００３９】
図４（ｂ）の例においては、位置情報検出ページを、通常の情報データページの角度ピッチを２ページ使用し、各々の書込角度に対応させて、領域Ａ1，Ａ2（参照光の角度θA1及びθA2）と、領域Ｂ1，Ｂ2（参照光の角度θB1及びθB2）の各々２つの領域に対応させている。
すなわち、各々の位置情報検出ページを記録する参照光の角度が、情報データページに記録する参照光の角度のピッチに対して半分ずれるような（ピッチの角度の半分を偏差させて位置検出情報Ａ及びＢを書き込む）構成としている。
また、位置検出情報ページのページ領域におけるページ数を増加させ、角度分割を更に細かく分けてもよく、この場合には、より安定した位置検出情報を再生して得ることができる。
【００４０】
＜第１の実施形態＞
次に、図５を参照して、本発明の第１の実施形態によるホログラフィー記録・再生装置の説明を行う。図５は第１の実施形態によるホログラフィー記録・再生装置の構成例を示すブロック図である。すなわち、図５は、メディアに記録、再生するための一構成例を示す光学レイアウト図である。
また、この図５の第１の実施形態においては、信号光と参照光とがメディア４に対して、同じ側から入射される透過型ホログラムを例として説明している。
図５に示す上記ホログラフィー記録・再生装置は、シャッタ１，ＳＬＭ・２，ＦＴレンズ３及びＦＴレンズ５，ディテクタ６，シャッタ７，ミラー８，位置制御部９，位置検出情報書込１６，記録位置検出部１１及び図示しないレーザ光源を有している。
【００４１】
Ａ．メディア４への情報データの記録処理
上記レーザ光源が、所定の波長のレーザ光を放射し、このレーザ光が所定の機構（例えば、ビームスプリッタ等）により、信号光として用いられる分配光Ｍと、参照光として用いられる分配光Ｎとに分配される。ここで、分配光Ｍはシャッタ１へ、分配光Ｎはミラー１０へそれぞれ入射する。
【００４２】
ＳＬＭ・２は、液晶パネル等で構成されており、メディア４へ書き込む情報データ、すなわち書き込む２次元の情報データに対応した市松模様のドットパターンを、分配光Ｍの入射角度に対し垂直な変調面に形成する。
このＳＬＭ・２は、入射される分配光Ｍの光の振幅を、上記変調面におけるドットパターンにより変調し、メディア４に書き込む情報を含む信号光として、ＦＴ（フーリエ変換）レンズ６へ出射する。
【００４３】
また、ＳＬＭ・２は、各々の位置検出情報の書込みタイミングにおいて、位置検出情報の書込み位置に対応させ、上記情報データと異なり、変調面の中央近傍の位置に形成する。
この図５においては透過型のＳＬＭを用いているが、ビームスプリッタ等を組み合わせて反射型のＳＬＭを用いることもできる。
【００４４】
なお、図２（ａ）において、情報データや位置検出情報が記録される領域以外、白く表示されている。
しかしながら、実際には上記変調面においては、参照光を透過させないように、黒く変調させる構成が好ましい。
また、参照光の角度をずらして位置検出情報を記録する際、角度をずらした所定の位置で、該当する位置検出情報のみを表示し、他の情報データスタックの位置検出情報の記憶位置に参照光が透過しないように、黒くして（光を透過させず）記録する。
【００４５】
ＦＴレンズ３は、ＳＬＭ・２からの信号光を集光し、ホログラム記録（多重化記録）されるメディア４に対して照射する。ここで、メディア４は、ＦＴレンズ３の集光点付近に設置されている。
シャッタ７は、シャッタ１の開閉のタイミングに同期させた開閉処理を行い、ミラー８へ、入射される分配光Ｎを出射を制御する。
ミラー８は、入射光の反射角度を可変できるガルバノミラーなどで構成されており、入射する分配光Ｎの反射角度を、位置検出情報書込部１０の制御により逐次変化させて、参照光としてメディア４へ出射する。
【００４６】
ここで、参照光は信号光がメディア４に入射する付近に重なるようにして入射されるよう制御されており、信号光と参照光とが干渉してできる干渉縞の情報が、情報データとしてメディア４に記録される。
このとき、ミラー８が参照光の角度を所定の角度ピッチで変えることにより、異なる信号光の情報データを、メディア４の所定の記憶領域に対して多重に記録させること、すなわち、ＳＬＭ・２の変調面に形成される異なるドットパターン（市松模様）の２次元情報データにより、順次、新たなデータを重ね書きすることができる。
【００４７】
それぞれ上記２次元の情報データが記録される参照光の角度を情報データページと呼ぶことにする。
位置制御部９は、位置検出情報書込部１０の制御により、Ｘ方向及びＹ方向に対して、情報データスタックのピッチ単位に、送り機構２１を調整してメディア４の移動制御を行う。
ここで、位置検出情報書込部１０は、位置制御部９を介して、送り機構２１を制御し、メディア４をＸＹ座標面（記録面）において平行移動させ、すなわち、信号光及び参照光が入射される位置に対して、相対的にメディア４を記録面において平行移動させ、情報データページを記録する情報データスタックの位置が、信号光及び参照光が入射される位置と一致するよう制御する。
【００４８】
また、上述した書込み処理において、位置検出情報書込部１０は、各情報データページの参照光の書込の角度を、ミラー８の反射面の角度制御することにより調整し、一方、位置検出情報を書き込む位置検出情報ページの位置を制御、すなわちミラー８の反射面を調整し、位置検出情報を情報データスタックにおける位置検出情報ページの所定の位置に記録させる。
【００４９】
このとき、位置検出情報書込部１０は、情報データスタックにおける位置検出情報ページに対応する参照光の角度にミラー８の反射面を調整した際、位置検出情報をＳＬＭ・２へ出力する。
これにより、ＳＬＭ・２は、位置検出情報ページにおいて、メディア４における情報データスタックの書込位置に対応した変調面の位置に、位置検出情報をドットパターンとして形成する。
【００５０】
ここで、すでに従来例においても述べたが、情報データを書き込む情報データスタックの位置に対応させて、ＳＬＭにおける。０次回折光に相当する部分のみを通過させる空間フィルタ、すなわち矩形開口部１３を、図８（ａ）に示す様にＦＴレンズ５とメディア４との間に設ける。
上記矩形開口部１３の大きさに対し、若干大きい間隔において複数の情報データページ、すなわち情報データが多重記録されて構成される情報データスタックを生成する。
この情報データページのメディア面における広がりは、メディア付近およびディテクタの近傍において広がっている。
【００５１】
したがって、メディア内においては、情報データページがＸＹ方向にオーバーラップしたように記録される。
矩形開口を置かない場合、ディテクタ上のデータページの投影像は、図８（ｂ）に示す様に、ＸＹ方向にオーバーラップするような配置である。
再生時において矩形開口が特定の情報データスタックに位置合わせされた場合は、参照光で再生された複数の情報データスタックのうち、図８（ｃ）に示すように、矩形開口部１３を通る特定の情報データスタックに含まれる情報データページのみがディテクタに投影され、情報データページの情報データを正常に再生することができる。
【００５２】
また、位置検出情報ページに記録される位置検出情報をコード化し、対応する情報データスタックの情報、例えば各情報データスタックのメディア内における位置を示す座標情報、記録された情報データページのページ番号などを予め記録しておいてもよい。
こうした情報を含めることにより、対応する情報データページが記録されている情報データスタックを検出するとともに、情報データページのページ番号等の情報も同時に検出でき、メディア４に記録された情報データの検索処理において、より確実で柔軟なデータアクセスを可能とする。
【００５３】
上述したコード化は、読み出しを容易とするため、１次元のバーコードパターン状にしてもよく、また、情報量を増加させる目的で示す２次元ドットパターン状としてもよい。
また、位置検出情報のパターンは、必ずしも情報データと同じ分解のドットパターンとする必要はなく、情報データのドットパターンに対してドット分解能を落としてコードの読み出し、及び検出を容易にすることができる。
【００５４】
上述した多重記録の方法において、メディア４が記録層（干渉縞の形成される厚さ方向の層）が比較的厚い（例えば、１ｍｍ以上）ホログラム媒体であり、参照光の角度を多重化させて記録する際、情報データページの角度ピッチにおける角度分解能は、レーザ光の波長λ、信号光および参照光のメディア４の面に対する入射角度θ、およびメディア４の厚みＤで決定される。
すなわち、上記角度ピッチにおける角度分解能は、レーザ波長λに比例し、メディア４の厚みＤに対して反比例する。
ここで、入射角度θは、メディア４の参照光の入射面の鉛直軸Ｔに対して、この参照光の入射方向とのなす角度である。
【００５５】
Ｂ．メディア４からの情報データの再生処理
次に、メディア４に記録された情報データを再生する際、信号光側のシャッタ１を閉じて、参照光側のシャッタ７を開けて、分配光Ｎのみをメディア４に入射させることにより、メディア４に記録された情報データの再生を行う。
このとき、記録位置検出部１１は、位置制御部９により送り機構２１を調整して、メディア４における参照光の照射位置のサーボ制御を行い、所定の情報データスタック位置のアクセス制御を行う。
【００５６】
また、記録位置検出部１１は、位置検出情報書込部１０により書き込まれた位置検出情報に基づいて、情報データスタックを選択し、記録時の参照光の角度に順次ミラー８を制御し、読出し時の参照光の角度を検出し、この角度における情報データページに該当する情報データが再生されて、再生光としてメディア４の裏面（参照光が入射される面と逆の面）から、ＦＴレンズ５に出射される。
【００５７】
ＦＴレンズ５は、入射される再生光を、ＦＴレンズ３に入射される信号光に、すなわち平行光（コヒーレント光）に戻し、ディテクタ（検出器）９へ投影する。
ここで、ＦＴレンズ３及びＦＴレンズ５の焦点距離が同様であり、ＳＬＭ・２，ＦＴレンズ３，図示しない矩形開口，ＦＴレンズ５，ディテクタ６は、それぞれ上記焦点距離だけ離れて配置されており、メディア４はＦＴレンズ３の焦点近くに配置されている。
すなわち、ＳＬＭ・２及びディテクタ６各々は、それぞれ、ＦＴレンズ３の前側焦点と、ＦＴレンズ５の後側焦点位置に置かれている。
【００５８】
このため、メディア４の各情報データスタックにおける各情報データページに記憶された情報データ、すなわち干渉縞により参照光が回折され、上記再生光が生成される。
そして、この再生光は、ＦＴレンズ５により平行な成分に変換され、ディテクタ６上にＳＬＭ・２の変調面における２次元ドットパターンと同様なパターンとして結像され、情報データが再生される。
ディテクタ６は、２次元ＣＣＤやＣＭＯＳイメージセンサなどで構成され、上記パターンを読み取り、情報データとして外部回路へ出力する。
【００５９】
ここで、記録位置検出部１１がミラー８の反射面の角度を調整し、メディア４へ入射される参照光の角度θを制御することにより、異なる情報データページに記憶された情報データを再生できる。
また、記録位置検出部１１は、情報データスタックの検出時において、予め設定されている位置検出情報ページに対応する参照光の角度となるよう、ミラー８の反射面を制御し、位置制御部９によりＸＹ座標面においてメディア４の記録面を移動させる。
【００６０】
このとき、記録位置検出部１１は、ディテクタ６より入力される各情報データスタックの位置検出情報を検出し、対応する情報データスタックの位置に参照光が照射されるように、位置制御部９により送り機構２１を調整して、メディア４における参照光の照射位置の制御を行う。
すなわち、記録位置検出部１１は、参照光の入射位置に対して、相対的にメディア４をＸＹ面（記録面）にて２次元移動させ、情報データスタックに参照光が入射されるようサーボ制御を行う。
【００６１】
＜第２の実施形態＞
次に、第２の実施形態として、ホログラフィー記録装置とホログラフィー再生装置とを別にした、ＲＯＭ（リードオンリーメモリ）型、あるいは追記型のメディアに対応したシステム構成としてもよい。
例えば、図６に示すシステム構成は、記録時に信号光と参照光とをメディア４の反対側から入射させ（図６（ａ））、再生時に参照光を位相共役の再生照明光として、メディア４へ入射させる（図６（ｂ））反射型ホログラムを例としている。
【００６２】
図６に示す構成の場合、図６（ａ）に示すホログラフィー記録装置において、メディア４の記録面における参照光の照射位置を変え、複数の情報データページに対し、各々情報データが多重記録されたメディア４を、ホログラフィーＲＯＭとして作成する。
ここで、図５と同様に、信号光がシャッタ１から出射され、参照光がミラー８から出射され、他の構成については、記録位置検出部１１が無く、ＦＴレンズ３がＳＬＭ・２の前部に配設されている以外、図５と同様である。また、ＳＬＭ・２とメディア４との間に矩形開口部１２が設けられている。
そして、メディア４への情報データ及び位置検出情報の書込処理は、上述した第１の実施形態と同様の処理により行われる。
このとき、参照光は、信号光が入射される面に対し、反対の面からメディア４における読出し対象の情報データスタックの位置に入射される。
【００６３】
そして、図６（ｂ）に示すホログラフィー再生装置において、読出し時に、参照光の代わりに位相共役再生照明光を用い、第１の実施形態で説明した読出し処理により、情報データの再生処理が行われる。
このホログラフィー再生装置は、ホログラフィー記録装置において、信号光が入力された面と同一の面に対し、位相共役再生照明光を入射させる。これにより、ホログラフィー再生装置側には、ＦＴレンズを設ける必要が無くなる。
位相共役再生照明光は、背後から読み出す構成であるため、参照光が位相共役光となるために定義しているものであり、図６（ａ）における参照光と同様のビームである。
【００６４】
このときの、位相共役再生照明光の入射位置の制御は、記録位置検出部１１が位置制御部９を介して送り機構２１を制御することにより、第１の実施形態と同様に、位置検出情報を検出しつつ、この位相共役再生照明光がメディア４の記録面に入射する位置、すなわち位相共役再生照明光が対応する情報データスタックの位置となるように制御を行う。
ここで、記録位置検出部１１は、位置検出情報を検出する際、この位置検出情報が記録された位置検出情報ページに対応した角度で、位相共役再生照明光がメディア４の記録面に入射されるようにミラー８の反射面の角度を制御する。
一方、記録位置検出部１１は、情報データを再生する際、情報データが記録された情報データページに対応した角度で、位相共役再生照明光がメディア４の入射面に入射するように、ミラー８の反射面を制御する。
【００６５】
また、ホログラフィー再生装置は、図示されていないが、レーザ装置，シャッタ７，ミラー８，記録位置検出部１１とが必要に応じて第１の実施形態と同様に設けられている。
第１の実施形態と異なる部分は、ディテクタ６が矩形開口部１３（ディテクタ６の検出面に対応した面積にする）を介して、位相共役再生照明光が入力されるメディア４の面と同一の側に配設されていることである。
【００６６】
したがって、図６（ｂ）に示すホログラフィー再生装置は、位相共役再生照明光を入射させ、メディア４に記録された位置検出情報により所望の情報データスタックに含まれる情報データを再生するホログラフィーＲＯＭ再生装置とすることができる。
この場合、図７（ａ）の光学配置に示すように、第１の実施形態例の図５と異なり、ディテクク９に像を結像させるＦＴレンズ５が不要になる。この図７（ａ）における参照光は、位相共役再生照明光である。
しかし、図７（ｃ）に示す矩形開口部１３での像の様子、および図７（ｂ）に示すディテクタ６上での像の重なりの様子は第１の実施形態と同様であり、第１の実施形態で述べた構成およびその効果は同様に適用できる。
【００６７】
また、上述したホログラフィーＲＯＭ再生装置においては、構成上、特にホログラフィー記録装置における書込時のメディア記録位置と、読出し時のメディア再生位置とを同一とすることが困難であり、かつ複数の異なるメディアがローディングされることが前提となるので、送り機構の精度ずれは避けられない。
しかしながら、上述したように第１実施形態に示すような方法により、位置検出をメディアの各情報データスタックに対して記録しておくことにより、送り機構の精度ずれを許容して正確な情報データの再生が可能になる。
【００６８】
＜第３の実施形態＞
次に、本発明の第３の実施形態によるホログラフィー記録・再生装置の説明を行う。
第１及び第２の実施形態においては、上述したように、参照光の角度を変えることで、異なる角度毎の情報データページを生成することにより、記憶領域における情報データの多重化を行っている。
一方、この第３の実施形態は、レーザ光源を制御して、放射するレーザ光の波長を変え、波長毎にて多重化させる波長多重化のシステムに適用させた例である。
ところが、一般的に、透過型ホログラムにおいては、反射型ホログラムに比較して波長分解能が大きく劣るため、波長による多重化においては反射型ホログラムの方式、すなわち、第２の実施形態の位相共役光を用いて情報信号を再生する構成例が好適である。
【００６９】
しかしながら、透過型ホログラム及び反射型ホログラムのいずれの方式を用いる場合においても、第３の実施形態における記録処理は、第１及び第２の実施形態における角度を波長とし、角度をずらすのではなく、各情報データスタックに記録された各情報データページ毎に波長をずらして、複数の情報データページにより情報データの多重記録が行われる。
【００７０】
そして、第３の実施形態における再生処理において、第１及び第２の実施形態における角度を波長とし、記録位置検出部１１がメディアに記録した位置検出情報ページを読み出し、第１及び第２の実施形態と同様に、対応する情報データスタックを検出し、参照光の波長を所望の情報データページに対応する波長に変更して、この波長となるようレーザ装置を制御して、この波長に対応する情報データページの情報データを読み出す。
また、第１及び第２の実施形態に記載してあるように、位置検出情報をコード化してメディア内における位置座標のデータを付加することにより、現在参照光が入射再生している位置を検出することができるので、他の情報データスタックに移動する際、すなわちアクセス速度を向上させられる。
【図面の簡単な説明】
【００７１】
【図１】本発明の第１及び第２（または第３）の実施形態における多重記録された情報データスタックの論理構造を示す概念図である。
【図２】第１の実施形態における各情報データスタックにおける位置検出情報の配置を示す概念図である。
【図３】情報データスタックの位置情報検出ページ内に複数の位置検出情報を配置した概念図である。
【図４】複数の位置情報検出ページに跨って位置検出情報を配置した構成を示す概念図である。
【図５】本発明の第１の実施形態によるホログラフィー記録・再生装置の構成例を示すブロック図である。
【図６】本発明の第２の実施形態におけるホログラフィー記録装置及びホログラフィー再生装置を説明する概念図である。
【図７】本発明の第２の実施形態において、矩形開口面及びディテクタの検出面状の情報データの再生された投影像の状態を説明する概念図である。
【図８】第１の実施形態等における矩形開口面及びディテクタの検出面状の情報データの再生された投影像の状態を説明する概念図である。
【図９】送り機構において、メディアがＸＹ方向に移動する際における過渡的な状態での矩形開口面及びディテクタの検出面状の情報データの再生された投影像の状態を説明する概念図である。
【符号の説明】
【００７２】
１，７…シャッタ
２…ＳＬＭ
３，５…ＦＴレンズ
４…メディア
６…ディテクタ
８…ミラー
９…位置制御部
１０…位置検出情報書込部
１１…記録位置検出部
１２，１３…矩形開口部
２１…送り機構
【図１】
2006208921.tif 000003
【図２】
2006208921.tif 000004
【図３】
2006208921.tif 000005
【図４】
2006208921.tif 000006
【図５】
2006208921.tif 000007
【図６】
2006208921.tif 000008
【図７】
2006208921.tif 000009
【図８】
2006208921.tif 000010
【図９】
2006208921.tif 000011